(57)【要約】【課題】ユーザが特別な動作を行うことなく、生体情報の変化をリアルタイムに簡易かつ正確に把握することができる生体情報通知装置、生体情報検出方法及び生体情報通知プログラムを提供する。【解決手段】生体情報通知装置は、ユーザの生体情報を検出する生体情報取得センサと、検出された生体情報に対応する振動制御信号を生成する制御部と、振動制御信号に基づいて、生体情報に対応する振動を発生する振動部と、を備え、生体情報通知装置に密着するユーザの身体に、検出されたユーザの生体情報に対応して、振動部から振動が伝達されることにより生体情報が通知される。【選択図】図３
2014054479.tif 000002
【特許請求の範囲】
【請求項１】
人体に接触されて生体情報を検出する生体情報取得センサと、
前記人体に振動を伝達することにより前記生体情報を通知する振動部と、
前記振動部を前記人体の前記生体情報に対応して振動させる制御部と、
を備える、
ことを特徴とする生体情報通知装置。
【請求項２】
前記制御部は前記生体情報に対応して前記振動部を所定の振動パターンで振動させることを特徴とする請求項１に記載の生体情報通知装置。
【請求項３】
前記生体情報が所定の閾値範囲内にある場合にのみ、前記制御部は前記生体情報に対応して前記振動部を所定の振動パターンで振動させることを特徴とする請求項１に記載の生体情報通知装置。
【請求項４】
前記生体情報の所定回数毎に、前記制御部は前記生体情報に対応して前記振動部を異なる振動パターンで振動させることを特徴とする請求項１に記載の生体情報通知装置。
【請求項５】
前記生体情報が所定の判定範囲以上に変化した場合に、前記制御部は前記生体情報に対応して前記振動部を異なる振動パターンで振動させることを特徴とする請求項１に記載の生体情報通知装置。
【請求項６】
人体に接触された生体情報取得センサにより生体情報を検出し、
振動部を前記人体の前記生体情報に対応して所定の振動パターンで振動させ、
前記人体に前記振動を伝達することにより前記生体情報を通知する、
ことを特徴とする生体情報通知方法。
【請求項７】
前記生体情報が所定の閾値範囲内にある場合、又は、前記生体情報の変化が所定の判定範囲以上に変化した場合には、前記生体情報に対応して前記振動部を異なる振動パターンで振動させることを特徴とする請求項６に記載の生体情報通知方法。
【請求項８】
コンピュータに、
人体に接触された生体情報取得センサにより生体情報を検出させ、
振動部を前記人体の前記生体情報に対応して所定の振動パターンで振動させる、
ことを特徴とする生体情報通知プログラム。
【請求項９】
前記生体情報が所定の閾値範囲内にある場合、又は、前記生体情報の変化が所定の判定範囲以上に変化した場合には、前記生体情報に対応して前記振動部を異なる振動パターンで振動させることを特徴とする請求項８に記載の生体情報通知プログラム。
【発明の詳細な説明】
【技術分野】
【０００１】
本発明は、生体情報通知装置、生体情報通知方法及び生体情報通知プログラムに関し、特に、人体に装着して生体情報を測定する生体情報測定機能を備えた生体情報通知装置、生体情報通知方法及び生体情報通知プログラムに関する。
【背景技術】
【０００２】
近年、健康志向の高まりにより、日常的に運動を行って健康状態を維持、増進する人々が増えている。このような人々は、自らの健康状態や運動状態を数値やデータで測定したり、記録することに対して、意識や関心が非常に高い。現在、このような要望に対応する測定機器が種々市販されており、歩数や移動距離、脈拍（心拍数）、カロリー消費量等を測定したり、記録することにより、自らの健康状態や運動状態を把握することができる。
【０００３】
このような測定機器の一例として、手首や胸部に装着して、心拍を測定し数値化したり、さらに当該数値を表示したりする機能を備えた心拍測定装置が知られている。例えば特許文献１には、手首に装着する腕時計型の外観を有し、センサにより検出された心拍数が予め設定された上限値を超えているか否かに応じて、通知手段から発生するビープ音や表示部の表示を変化させて、音や表示で使用者に情報を通知する技術が開示されている。また、例えば特許文献２には、胸部に装着する健康状態パラメータ監視装置と、手首に装着する触覚フィードバック発生装置と、を有し、健康状態パラメータ監視装置のパラメータセンサにより検出された心拍数等が所定のレベルに達しているか否かに応じて、触覚フィードバック発生装置のアクチュエータにより発生する振動を変化させて、触覚によりユーザ（使用者）に情報を通知する技術が開示されている。
【先行技術文献】
【特許文献】
【０００４】
【特許文献１】特開２００７−０７５２０１号公報
【特許文献２】特表２０１０−５３０２８１号公報
【発明の概要】
【発明が解決しようとする課題】
【０００５】
上述したような特許文献に記載された技術においては、検出された心拍数が所定の設定値やレベルを超えているか否かの判定結果が、音や振動でユーザに通知されるに過ぎず、ユーザは具体的な心拍数を正確に把握することができないという問題を有している。また、上記の音や振動による通知に併用して、または単独で、表示部に心拍数等を表示する手法においては、運動中に表示部の表示を視覚的に確認するために、腕を上げる動作や、運動中の動作を一旦止める必要がある。しかしながら、運動の内容（例えば激しい運動等）やユーザの運動姿勢、疲労状態等によっては、当該動作自体が困難な場合や、短時間で表示された数値を読み取ることができない場合や、毎回表示部の表示を確認する動作自体が煩わしい場合がある。例えば、足の上げ方やピッチ、ストライド、呼吸方法等を変えたりして様々な走行方法を試みるような場合に、心拍数がどのように変化するかをリアルタイムで知りたい場合、その都度、手首に装着した心拍測定装置の表示を見ながらその変化を正確に把握することは非常に困難で煩雑であった。
【０００６】
そこで、本発明は、上述した問題点に鑑み、ユーザが特別な動作を行うことなく、生体情報の変化をリアルタイムに簡易かつ正確に把握することができる生体情報通知装置、生体情報検出方法及び生体情報通知プログラムを提供することを目的とする。
【課題を解決するための手段】
【０００７】
本発明に係る生体情報通知装置は、人体に接触されて生体情報を検出する生体情報取得センサと、前記人体に振動を伝達することにより前記生体情報を通知する振動部と、前記振動部を前記人体の前記生体情報に対応して振動させる制御部と、を備える、ことを特徴とする。
【０００８】
本発明に係る生体情報通知方法は、人体に接触された生体情報取得センサにより生体情報を検出し、振動部を前記人体の前記生体情報に対応して所定の振動パターンで振動させ、前記人体に前記振動を伝達することにより前記生体情報を通知する、ことを特徴とする。
【０００９】
本発明に係る生体情報通知プログラムは、コンピュータに、人体に接触された生体情報取得センサにより生体情報を検出させ、振動部を前記人体の前記生体情報に対応して所定の振動パターンで振動させる、ことを特徴とする。
【発明の効果】
【００１０】
本発明によれば、ユーザが特別な動作を行うことなく、生体情報の変化をリアルタイムに簡易かつ正確に把握することができる。
【図面の簡単な説明】
【００１１】
【図１】本発明に係る生体情報通知装置の第１の実施形態を示す概略構成図である。
【図２】第１の実施形態に係る生体情報通知装置の一構成例を示す機能ブロック図である。
【図３】第１の実施形態に係る生体情報通知装置における生体情報通知方法の一例を示すフローチャートである。
【図４】第１の実施形態に係る生体情報通知方法により実行される振動パターンの一例を示す信号波形図である。
【図５】第２の実施形態に係る生体情報通知方法の一例を示すフローチャートである。
【図６】第２の実施形態に係る生体情報通知方法により実行される振動パターンの一例を示す信号波形図である。
【図７】第３の実施形態に係る生体情報通知方法の一例を示すフローチャートである。
【図８】第３の実施形態に係る生体情報通知方法により実行される振動パターンの一例を示す信号波形図である。
【図９】第４の実施形態に係る生体情報通知方法の一例を示すフローチャート（その１）である。
【図１０】第４の実施形態に係る生体情報通知方法の一例を示すフローチャート（その２）である。
【図１１】本発明に係る生体情報通知装置の他の構成例（構成例１）を示す概略構成図である。
【図１２】構成例１に係る生体情報通知装置を示す機能ブロック図である。
【図１３】本発明に係る生体情報通知装置の他の構成例（構成例２）を示す概略構成図である。
【図１４】構成例２に係る生体情報通知装置を示す機能ブロック図である。
【発明を実施するための形態】
【００１２】
以下、本発明に係る生体情報通知装置、生体情報検出方法及び生体情報通知プログラムについて、実施形態を示して詳しく説明する。
＜第１の実施形態＞
（生体情報通知装置）
【００１３】
図１は、本発明に係る生体情報通知装置の第１の実施形態を示す概略構成図である。ここで、図１（ａ）は、本実施形態に係る生体情報通知装置を人体に装着した状態を示す概略図であり、図１（ｂ）は、本実施形態に係る生体情報通知装置の一例を示す概略構成図である。図２は、本実施形態に係る生体情報通知装置の一構成例を示す機能ブロック図である。
【００１４】
第１の実施形態に係る生体情報通知装置は、例えば図１（ａ）に示すように、被測定者であるユーザＵＳの胸部に装着される。生体情報通知装置１００は、例えば図１（ｂ）に示すように、チェストセンサ型の外観形状を有し、大別して、ユーザＵＳの運動中（例えば歩行中や走行中）の、心拍数を含む各種の生体情報を検出する機能を備えた機器本体１０１と、ユーザＵＳの胸部に巻き付けることにより機器本体１０１を胸部に装着するためのベルト部１０２と、ベルト部１０２の内面側（人体と接触する側）に露出するように設けられた一対の検出電極１１１と、を備えている。
【００１５】
機器本体１０１は、具体的には、例えば図２に示すように、心拍センサ１１０と、各種センサ１２０と、操作スイッチ１３０と、振動部１４０と、制御部（中央演算装置；ＣＰＵ）１５０と、メモリ１６０と、通信モジュール１７０と、電源供給部１８０と、を備えている。
【００１６】
心拍センサ１１０は、図１（ｂ）に示すように、機器本体１０１をユーザＵＳの胸部に装着するためのベルト部１０２の内面側に露出し、ユーザＵＳの胸部に直接密着するように配置された一対の検出電極１１１を有している。心拍センサ１１０は、検出電極１１１から出力される心電位信号の変化を検出し、心拍データ（センサデータ）を出力する。この心拍データは、メモリ１６０の所定の記憶領域に保存される。
【００１７】
各種センサ１２０は、例えば加速度センサや角速度センサ（ジャイロセンサ）、ＧＰＳ受信回路、（位置センサ）、体温センサ、呼吸センサ等であって、ユーザの安静時及び運動時における、運動状態（走行速度、走行距離、ピッチ等）に関連する各種センサデータや、生体状態（体温、血圧、呼吸数等）に関連する各種センサデータを検出して出力する。これらの各種センサデータは、検出時間毎に、上記の心拍データと関連付けられてメモリ１６０の所定の記憶領域に保存される。
また、心拍センサ１１０、体温センサ、呼吸センサ等の、人体に接触されて生体情報を検出するセンサを生体情報取得センサと総称する。
【００１８】
操作スイッチ１３０は、電源スイッチを有し、ユーザＵＳが当該操作スイッチ１３０を操作することにより、電源供給部１８０から機器本体１０１内の各構成への駆動用電力の供給状態（供給又は遮断）を制御して、機器本体１０１の電源のオン（起動）、オフ（停止）を制御する。また、操作スイッチ１３０は、センサ制御用スイッチを有し、ユーザＵＳが当該操作スイッチ１３０を操作することにより、心拍センサ１１０及び各種センサ１２０におけるセンシング動作の開始又は終了を制御する。なお、操作スイッチ１３０は、上記電源スイッチのみを有し、ユーザＵＳが当該操作スイッチ１３０を操作して機器本体１０１の電源をオン（起動）することにより、心拍センサ１１０及び各種センサ１２０におけるセンシング動作が開始され、一方、機器本体１０１の電源をオフ（停止）することにより、心拍センサ１１０及び各種センサ１２０におけるセンシング動作が終了されるものであってもよい。
【００１９】
振動部１４０は、振動モータや振動子等の振動機器を有し、少なくとも心拍センサ１１０により検出されたユーザＵＳの心拍に対応して、後述する所定の振動パターンや強度（強弱）で振動を発生させることにより、触覚を通してユーザＵＳに心拍情報を通知する動作を実行する。
【００２０】
メモリ１６０は、不揮発性メモリを有し、心拍センサ１１０から出力された心拍データや、各種センサ１２０から出力された運動状態や生体状態に関連する各種のセンサデータを、検出時間毎に相互に関連付けて所定の記憶領域に保存する。また、メモリ１６０は、後述する制御プログラム及びアルゴリズムプログラムを実行する際に使用、又は、生成される各種データを一時的に保存する。ここで、メモリ１６０は、ＲＯＭ（Read Only Memory；読み出し専用メモリ）やフラッシュメモリを有し、心拍センサ１１０や各種センサ１２０におけるセンシング動作や、振動部１４０における振動動作、通信モジュール１７０におけるデータ伝送動作等の、各構成における所定の機能を実現するための制御プログラムや、上記の心拍データに基づいて、振動部１４０から心拍に対応する所定の振動パターンの振動を発生させてユーザＵＳに通知する生体情報通知方法を実現するためのアルゴリズムプログラムを保存するものであってもよい。なお、メモリ１６０を構成する不揮発性メモリ部分は、その一部又は全部が、例えばメモリカード等のリムーバブル記憶媒体としての形態を有し、機器本体１０１に対して着脱可能に構成されているものであってもよい。
【００２１】
制御部１５０は、計時機能を備え、上記のメモリ１６０に保存された制御プログラムに従って処理を行うことにより、心拍センサ１１０や各種センサ１２０におけるセンシング動作や、振動部１４０における振動動作、通信モジュール１７０におけるデータ伝送動作等の、各構成における動作を制御して所定の機能を実現する。また、制御部１５０は、上記のメモリ１６０に保存されたアルゴリズムプログラムに従って処理を行うことにより、制御部１５０内部で心拍センサ１１０により取得された心拍データに基づいて、振動部１４０から心拍に対応する所定の振動パターンの振動を発生させてユーザＵＳに通知する生体情報通知方法を実現する。なお、制御部１５０において実行される制御プログラムやアルゴリズムプログラムは、予め制御部１５０内部に組み込まれているものであってもよい。
【００２２】
通信モジュール１７０は、心拍センサ１１０により取得された心拍データや、各種センサ１２０により取得されたセンサデータ、又は、これらのデータを上記のアルゴリズムプログラムに従って生成した通知情報等を、生体情報通知装置１００（又は、機器本体１０１）の外部に設けられた外部機器等に伝送する際のインターフェースとして機能する。ここで、通信モジュール１７０を介して外部機器等に各種のデータや情報等を伝送する手法としては、例えば各種の無線通信方式や、通信ケーブルを介した有線による通信方式等を適用することができる。また、外部機器は、例えばパーソナルコンピュータ、携帯電話機、スマートフォン、タブレット端末等の電子機器を適用することができ、これによれば、生体情報通知装置１００において取得された、又は、生成された各種のデータや情報等を、生体情報の測定終了後や運動終了後に、外部機器に備えられた表示装置に表示して閲覧したり、詳細に分析したりして、自らの健康状態や運動状態を正確に把握することができる。
【００２３】
電源供給部１８０は、生体情報通知装置１００の機器本体１０１内部の各構成に駆動電力を供給する。電源供給部１８０は、例えば市販のコイン型電池やボタン型電池等の一次電池や、リチウムイオン電池やニッケル水素電池等の二次電池を適用することができる。また、電源供給部１８０は、これらの一次電池や二次電池のほか、振動、光、熱、電磁波等のエネルギーにより発電する環境発電（エナジーハーベスト）技術による電源等を適用することもできる。
【００２４】
（生体情報通知方法）
次に、本実施形態に係る生体情報通知装置における生体情報通知方法について説明する。
図３は、本実施形態に係る生体情報通知装置における生体情報通知方法の一例を示すフローチャートである。図４は、本実施形態に係る生体情報通知方法により実行される振動パターンの一例を示す信号波形図である。
【００２５】
上述したような構成を有する生体情報通知装置における生体情報通知方法は、例えば図３に示すように、まず、生体情報通知装置１００を起動して、制御部１５０が心拍センサ１１０及び各種センサ１２０におけるセンシング動作を開始させる。具体的には、ユーザＵＳが胸部に装着した生体情報通知装置１００の機器本体１０１に設けられた操作スイッチ１３０を操作することにより、生体情報通知装置１００を電源オンして起動し、制御部１５０が心拍センサ１１０及び各種センサ１２０におけるセンシング動作を開始させる。これにより、心拍センサ１１０によりユーザＵＳの心拍データが検出されるとともに、各種センサ１２０によりユーザＵＳの運動状態や生体状態に関連する各種のセンサデータが検出される（ステップＳ１０１）。これらの心拍データや、各種のセンサデータは、各センサにおける検出時間毎に、相互に関連付けてメモリ１６０の所定の記憶領域に保存される。
【００２６】
次いで、検出した心拍データに基づいて、心拍のタイミングに対応する振動を発生させて、生体情報通知装置１００からユーザＵＳに心拍情報を通知する（ステップＳ１０２）。具体的には、例えば図４（ａ）、（ｂ）に示すように、心拍センサ１１０により検出される心拍波形信号（上述した心電位信号の波形出力に相当する）のタイミングに対応して、制御部１５０から振動部１４０に振動制御信号が出力される。振動部１４０は、受信した振動制御信号の信号幅に対応する期間、所定の振動強さで振動を発生する。ここで、制御部１５０により検出された上記の対応タイミングは、メモリ１６０の所定の記憶領域に保存される。
【００２７】
すなわち、一般に、安静時や歩行時等における人の心拍数は、概ね６０〜８０回／分程度であり、振動部１４０は、この心拍数に対応して、全ての心拍に対応する６０〜８０回／分の振動を発生する（図４（ａ）参照）。また、走行時や激しい運動時等における人の心拍数は、安静時や歩行時等の２〜３倍に達し、例えば１８０回／分や２００回／分に達する場合もあり、この場合にも、振動部１４０は、心拍数に対応して、全ての心拍に対応する１８０回／分や２００回／分の振動を発生する（図４（ｂ）参照）。これにより、生体情報通知装置１００の機器本体１０１の全体又は振動部１４０近傍が振動して、生体情報通知装置１００に密着するユーザＵＳの身体に、当該振動により心拍情報が伝達される。
【００２８】
なお、本実施形態において、振動部１４０により発生される振動は、予め所定の振動時間及び振動強さに設定されている。この振動時間及び振動強さは、例えばユーザＵＳが操作スイッチ１３０等を操作することにより、任意に設定できるものであってもよい。
【００２９】
次いで、制御部１５０は、上記の心拍検知動作（ステップＳ１０１）と、対応振動動作（ステップＳ１０２）と、を処理終了の指示があるまで繰り返す（ステップＳ１０３）。ここで、処理終了の指示は、ユーザＵＳが例えば操作スイッチ１３０を操作することにより、心拍センサ１１０及び各種センサ１２０におけるセンシング動作を終了させた場合や、生体情報通知装置１００を電源オフして停止させた場合に生成される。
【００３０】
このように、本実施形態においては、ユーザＵＳが身体に装着した生体情報通知装置１００の心拍センサ１１０により、ユーザＵＳの心拍が常時検出され、振動部１４０により当該心拍に対応した振動が発生されて、生体情報通知装置１００に密着するユーザＵＳの身体に心拍情報が通知される。これにより、ユーザＵＳは触覚により振動を感知し、そのタイミングや周期により自己の心拍数やその変化をリアルタイムで直感的に把握することができる。
【００３１】
また、このとき、上述した背景技術に示したように、例えば手首に装着する心拍測定装置の表示部に表示された心拍数等を視覚的に確認するために、腕を上げる動作や、運動中の動作を一旦止める必要がないので、ユーザは運動の内容や運動姿勢、疲労状態等に関わらず、特別な動作を行うことなく、自己の心拍数やその変化をリアルタイムで簡易に把握することができる。
【００３２】
具体的には、ユーザＵＳがランニングやジョギング等の運動中に、ピッチを上げたときの心拍の変化や、スライドを伸ばしたときの心拍の変化、また、坂道や砂利道や車道等のコース環境における心拍の変化、他人に抜かされたときの心拍の変化、呼吸方法を変えたときの心拍の変化、腕の振りや姿勢を変化させたときの心拍の変化等を、ランナーであるユーザ自身がリアルタイムに把握することができる。したがって、様々な状況における心拍の変化を、運動中に把握することができるので、運動後に自宅のパーソナルコンピュータ等の外部機器を用いて表示、分析する場合に比較して、即座により良い運動方法（例えば走行方法の改善や工夫）の発見に寄与することができる。
【００３３】
＜第２の実施形態＞
次に、本発明に係る生体情報通知装置における生体情報通知方法の第２の実施形態について説明する。ここでは、上述した第１の実施形態に示した構成（図１、図２）を適宜参照しながら説明する。
【００３４】
上述した第１の実施形態に示した生体情報通知方法においては、心拍センサ１１０により検出されたユーザＵＳの心拍に対応して、振動部１４０により全ての心拍に対応して振動を発生させる手法について説明した。第２の実施形態においては、心拍センサ１１０により検出されたユーザＵＳの心拍が、所定の閾値範囲にある場合に、心拍センサ１１０により検出されたユーザＵＳの心拍に対応して、振動部１４０により全ての心拍に対応して振動を発生させる手法を有している。
【００３５】
図５は、第２の実施形態に係る生体情報通知方法の一例を示すフローチャートである。図６は、本実施形態に係る生体情報通知方法により実行される振動パターンの一例を示す信号波形図である。ここで、上述した第１の実施形態と同等の処理については、その説明を簡略化する。
【００３６】
第２の実施形態に係る生体情報通知方法は、上述した第１の実施形態と同等の構成（図１、図２参照）を有する生体情報通知装置において、例えば図５に示すように、まず、心拍数について閾値範囲を設定する（ステップＳ２０１）。具体的には、生体情報通知装置１００を電源オンして起動した後、ユーザＵＳが操作スイッチ１３０を操作することにより、閾値となる任意の心拍数を設定する。ここで、設定される閾値範囲は、例えば１２０回／分のように特定の心拍数を指定して、当該心拍数以上の範囲を閾値範囲とするものであってもよいし、例えば１２０回／分を下限値とし、例えば２００回／分を上限値とする数値範囲を指定して、閾値範囲を設定するものであってもよい。なお、閾値範囲の設定方法は、ユーザＵＳが操作スイッチ１３０を操作することにより、直接心拍数の数値を入力して設定する手法の他に、予め１２０回／分、１４０回／分、１６０回／分のように、複数種類の閾値を用意しておき、ユーザＵＳが操作スイッチ１３０を操作することにより、任意の閾値を選択して設定する手法を適用するものであってもよい。
【００３７】
次いで、上述した第１の実施形態における心拍検知動作（ステップＳ１０１）と同様に、制御部１５０が、心拍センサ１１０及び各種センサ１２０におけるセンシング動作を開始させて、ユーザＵＳの心拍データや各種のセンサデータを検出する（ステップＳ２０２）。検出された心拍データや各種のセンサデータは、検出時間毎に、相互に関連付けてメモリ１６０の所定の記憶領域に保存される。
【００３８】
次いで、制御部１５０は、検出された心拍データに基づいて、単位時間当たりの心拍数を計測し、計測された心拍数が予め設定された閾値範囲内にあるか否かが判定される（ステップＳ２０３）。具体的には、制御部１５０は、上述した閾値範囲設定動作（ステップＳ２０１）において、１分当たりの心拍数を閾値として設定した場合には、メモリ１６０に保存、蓄積された直近の１分間の心拍データに基づいて、ユーザＵＳが心拍数を計測する。次いで、制御部１５０は、計測された心拍数と、予め設定された閾値範囲とを比較する処理を行う。
【００３９】
そして、計測された心拍数が、予め設定された閾値範囲内にあると判定された場合には、制御部１５０は、上述した第１の実施形態における対応振動動作（ステップＳ１０２）と同様に、心拍のタイミングに対応する振動を発生させて、ユーザＵＳに心拍情報として通知する（ステップＳ２０４）。具体的には、上述した閾値範囲設定動作（ステップＳ２０１）において、例えば１２０回／分の閾値を設定した場合には、計測された心拍数が１２０回／分を超えた場合には、制御部１５０は、振動部１４０を制御して、計測された心拍数に対応して、全ての心拍に対応する振動を発生させる。一方、計測された心拍数が、予め設定された閾値範囲外にあると判定された場合には、制御部１５０は、振動部１４０を振動させることなく、心拍検知動作（ステップＳ２０２）を継続する。
【００４０】
すなわち、安静時や歩行時のように、制御部１５０により計測された心拍数が、予め設定された閾値範囲外にある場合には、例えば図６（ａ）に示すように、心拍波形信号が検出された場合であっても、制御部１５０から振動部１４０に振動制御信号は出力されない。したがって、振動部１４０は振動しない。一方、走行時や激しい運動時のように、制御部１５０により計測された心拍数が、予め設定された閾値範囲内にある場合（又は、予め設定された閾値以上である場合）には、例えば図６（ｂ）に示すように、心拍波形信号のタイミングに対応して、制御部１５０から振動部１４０に振動制御信号が出力されることにより、振動部１４０が振動する。これにより、生体情報通知装置１００に密着するユーザＵＳの身体に、当該振動により心拍情報が伝達される。
【００４１】
次いで、制御部１５０は、上記の閾値範囲設定動作（ステップＳ２０１）、心拍検知動作（ステップＳ２０２）、閾値範囲判定動作（ステップＳ２０３）、対応振動動作（ステップＳ２０４）からなる一連の処理を、処理終了の指示があるまで繰り返す（ステップＳ２０５）。
【００４２】
このように、本実施形態においては、ユーザＵＳの心拍数が予め設定した閾値範囲内にある場合にのみ、振動部１４０により心拍に対応した振動が発生されて、ユーザＵＳに心拍情報が通知される。これにより、心拍数が特定の範囲内にあるときのみ、リアルタイムで心拍数やその変化を正確に把握したいという場合や、常時心拍に対応した振動を感知する必要がない場合、あるいは、常時心拍に対応した振動を感知するのが煩わしかったり、不快に感じたりする場合等に対応することができるとともに、心拍数が低い状態から特定の範囲内の高い状態に変化したことを振動により直感的に把握することができる。
【００４３】
そして、本実施形態においても、上述した第１の実施形態と同様に、心拍に対応した振動によりユーザＵＳに心拍情報が通知されるので、ユーザＵＳは腕を上げたり、運動中の動作を一旦止めたり、特別な動作を行うことなく、自己の心拍数やその変化をリアルタイムで簡易かつ直感的に把握することができる。
【００４４】
＜第３の実施形態＞
次に、本発明に係る生体情報通知装置における生体情報通知方法の第３の実施形態について説明する。ここでも、上述した第１の実施形態に示した構成（図１、図２）を適宜参照しながら説明する。
【００４５】
上述した第１又は第２の実施形態においては、心拍センサ１１０により検出された全ての心拍、または、特定の閾値範囲内の全ての心拍に対応して同一の振動強さで振動を発生させる手法について説明した。第３の実施形態においては、振動の強弱パターンを予め設定し、全ての心拍に対応して当該設定された振動強さ（強弱パターン）で振動を発生させる手法を有している。
【００４６】
図７は、第３の実施形態に係る生体情報通知方法の一例を示すフローチャートである。図８は、本実施形態に係る生体情報通知方法により実行される振動パターンの一例を示す信号波形図である。ここで、上述した第１又は第２の実施形態と同等の処理については、その説明を簡略化する。
【００４７】
第３の実施形態に係る生体情報通知方法は、上述した第１の実施形態と同等の構成（図１、図２参照）を有する生体情報通知装置において、例えば図７に示すように、まず、心拍に対応させる振動の強弱パターンについて設定値を設定する（ステップＳ３０１）。具体的には、生体情報通知装置１００を電源オンして起動した後、ユーザＵＳが操作スイッチ１３０を操作することにより、振動の強弱パターンを規定する設定値を設定する。ここで、振動の強弱パターン（振動パターン）とは、振動部１４０により発生される振動の強さが、連続する心拍に対してどのように変化するかということであり、例えば、何回に１回だけ強く振動させ、残りを弱く振動させるかや、何回に１回だけ振動させるか、といった振動パターンを規定する設定値が設定される。なお、振動パターンの設定方法は、ユーザＵＳが操作スイッチ１３０を操作することにより、直接設定値を入力して設定する手法の他に、予め複数種類の振動パターンを用意しておき、ユーザＵＳが操作スイッチ１３０を操作することにより、任意の振動パターンを選択して設定する手法を適用するものであってもよい。
【００４８】
次いで、制御部１５０は、上記の振動パターンを実現するために実行される判定処理（詳しくは後述する）に使用される心拍の検出回数をリセットする必要があるか否かを判定する（ステップＳ３０２）。心拍の検出回数をリセットする必要があると判定された場合には、制御部１５０は、当該心拍の検出回数のカウント値を「０」又は「１」に設定（リセット）して（ステップＳ３０３）、上述した第１の実施形態と同様に、心拍検知動作を実行する（ステップＳ３０４）。ここで、心拍の検出回数をリセットする必要がある場合とは、本実施形態に係る生体情報通知方法において、心拍の検出回数が予め設定された設定値に到達した場合や、例えば生体情報通知装置１００を起動して心拍センサ１１０におけるセンシング動作を開始した場合、ユーザＵＳが操作スイッチ１３０を操作して当該検出回数を強制的にリセットした場合等である。
【００４９】
一方、上記のリセット判定動作（ステップＳ３０２）において、心拍の検出回数をリセットする必要がないと判定された場合には、制御部１５０は、当該心拍の検出回数のカウント値をリセットすることなく、心拍検知動作を実行する（ステップＳ３０４）。ここで、心拍の検出回数をリセットする必要がない場合とは、本実施形態に係る生体情報通知方法において、心拍の検出回数が予め設定された設定値に到達していない場合である。
【００５０】
次いで、制御部１５０は、上記の心拍検知動作（ステップＳ３０４）における心拍の検出回数が、予め設定された設定値に到達したか否かが判定される（ステップＳ３０５）。具体的には、制御部１５０は、上述した設定値設定動作（ステップＳ３０１）において、連続する心拍に対して、例えば４回に１回だけ強く振動させ、残りの３回を弱く振動させる振動パターンを規定する設定値（この場合は、例えば「４」）を設定した場合には、現時点の心拍の検出回数が当該設定値に達しているか否かが判定される。そして、心拍の検出回数が設定値に達していると判定された場合には、例えば図８に示すように、制御部１５０は、振動部１４０を強く振動させる振動処理１を実行するための振動制御信号（図中、「ＯＮ１」に相当する）を出力して、振動部１４０を高い振動強度で振動させる。
【００５１】
一方、心拍の検出回数が設定値に達していないと判定された場合には、例えば図８に示すように、制御部１５０は、振動部１４０を弱く振動させる振動処理２を実行するための振動制御信号（図中、「ＯＮ２」に相当する）を出力して、振動部１４０を低い振動強度で振動させる。これにより、生体情報通知装置１００に密着するユーザＵＳの身体に、図８に示したように、検出された心拍に対応して４回に１回だけ強く振動し、残りの３回が弱く振動する振動パターンの振動により心拍情報が伝達される。
【００５２】
次いで、制御部１５０は、上記一連の処理を終了する指示があるか否かを判定し（ステップＳ３０８）、処理終了の指示がない場合には、心拍の検出回数のカウント値に「１」を加算して（ステップＳ３０９）、上記のリセット判定動作（ステップＳ３０２）に戻って、一連の処理を繰り返し実行する。
【００５３】
このように、本実施形態においては、検出されたユーザＵＳの心拍データのうちの、例えば所定回数に１回のみ心拍に対応して強く振動し、残りの心拍に対しては弱く振動することにより、ユーザＵＳに心拍情報が通知される。これにより、心拍数が例えば１６０回／分や１８０回／分のように高くなった場合であっても、ユーザＵＳはリアルタイムで心拍数やその変化を正確に把握することができる。また、本実施形態においては、常時心拍に対応した一定の振動を感知する必要がない場合や、常時心拍に対応した一定の振動を感知するのが煩わしかったり、不快に感じたりする場合等にも対応することができる。
【００５４】
なお、本実施形態に係る生体情報通知方法は、単独で一連の処理を実行する場合に限定されるものではなく、例えば、上述した第２の実施形態に示した生体情報通知方法の手法と組み合わせて実行するものであってもよい。すなわち、予め所定の閾値範囲を設定しておき、心拍数が所定の閾値範囲内にない場合には、全ての心拍に対応して同一の振動強さで振動を発生させるか、または、振動を発生させない状態とし、心拍数が所定の閾値範囲内になった場合のみ、心拍に対応して所定回数に１回のみ強く振動し、残りは弱く振動させるものであってもよい。これにより、ユーザＵＳは心拍数が所定の閾値範囲内に入ったことを感知することができるとともに、当該閾値範囲内における心拍数やその変化をリアルタイムで簡易かつ直感的に把握することができる。
【００５５】
＜第４の実施形態＞
次に、本発明に係る生体情報通知装置における生体情報通知方法の第４の実施形態について説明する。ここでも、上述した第１の実施形態に示した構成（図１、図２）を適宜参照しながら説明する。
【００５６】
上述した第２又は第３の実施形態においては、心拍センサ１１０により検出された心拍データのうちの、特定の閾値範囲内の全ての心拍に対応して同一の振動強さで振動を発生させる手法や、特定の回数毎の心拍に対して異なる振動強さで振動を発生させる手法について説明した。第４の実施形態においては、心拍数の増減や変化の有無に応じて、振動の強弱や長さ（期間）を切り替え設定して、振動を発生させる手法を有している。
【００５７】
図９、図１０は、第４の実施形態に係る生体情報通知方法の一例を示すフローチャートである。ここで、上述した第１乃至第３の実施形態と同等の処理については、その説明を簡略化する。
【００５８】
第４の実施形態に係る生体情報通知方法は、上述した第１の実施形態と同等の構成（図１、図２参照）を有する生体情報通知装置において、例えば図９に示すように、まず、前回の単位時間当たりの心拍数のカウント値を「０」に設定（リセット）して（ステップＳ４０１）、上述した第１の実施形態と同様に、心拍検知動作を開始する。このとき、制御部１５０は、初回に検出された心拍の検出時間を、心拍記録時間として測定してメモリ１６０に保存する（ステップＳ４０２）。
【００５９】
次いで、制御部１５０は、現在（又は最新）の単位時間当たりの心拍数を「０」に設定（リセット）した後（ステップＳ４０３）、心拍検知動作により検出された最新の心拍の検出時間（心拍記録時間）を測定してメモリ１６０に保存するとともに（ステップＳ４０４）、心拍数のカウント値に「１」を加算する処理を行う。
【００６０】
次いで、制御部１５０は、最新心拍数リセット動作（ステップＳ４０３）において、単位時間当たりの心拍数を「０」に設定した時点から経過した時間が、上記単位時間に到達したか否かを判定する（ステップＳ４０５）。そして、当該経過時間が単位時間に達していない場合には、制御部１５０は、最新の心拍の検出時間（心拍記録時間）を測定する動作（ステップＳ４０４）を繰り返し実行する。一方、当該経過時間が単位時間に到達した場合には、制御部１５０は、単位時間当たりの心拍数が０かそれ以外（心拍数＞０）かを判定する（ステップＳ４０６）。すなわち、例えば単位時間が０．５秒等のように比較的短い時間に設定されている場合には、安静時のように心拍数が低い状態では、当該単位時間内に心拍が検出されない場合が生じる。そこで、単位時間内に心拍が検出されたか否かを判定し、心拍が検出されない場合（すなわち、心拍数が「０」）には、例えば図１０に示すように、制御部１５０は、例えば振動部１４０を振動させない処理（振動処理４）を実行する（ステップＳ４１３）。
【００６１】
一方、単位時間内に心拍が検出された場合（すなわち、心拍数＞０）には、制御部１５０は、メモリ１６０に保存された最新の心拍記録時間と前回の心拍記録時間とを抽出し、当該心拍記録時間相互の差分とその間の心拍数に基づいて、最新の単位時間当たりの心拍数を算出する（ステップＳ４０７）。具体的には、次式のような演算処理を実行する。ここで、前回の心拍記録時間とは、前回の単位時間当たりの心拍数を導出したときに利用した最新の心拍記録時間のことである。
（最新の単位時間当たりの心拍数）＝
（心拍数）／（最新の心拍記録時間−前回の心拍記録時間）
【００６２】
次いで、例えば図１０に示すように、制御部１５０は、前回の単位時間当たりの心拍数と、上記算出された最新の単位時間当たりの心拍数と、を比較して、双方の差分（すなわち、心拍数の変化）が所定の範囲内にあるか否かを判定する（ステップＳ４０８）。ここで、所定の範囲とは、単位時間当たりの心拍数のばらつきにより増減の変化を判定するのが難しい範囲として、予め設定された範囲のことである。そして、当該差分（心拍数の変化）が所定の範囲内であると判定された場合には、制御部１５０は、例えば振動部１４０を短い期間振動させる振動処理３を実行する（ステップＳ４１２）。
【００６３】
一方、当該差分（心拍数の変化）が所定の範囲を逸脱していると判定された場合には、制御部１５０は、当該差分に相当する心拍数の変化が増加であるか減少であるか（心拍数が増加したか否か）を判定する（ステップＳ４０９）。そして、心拍数が増加したと判定された場合には、制御部１５０は、例えば振動部１４０を強く振動させる振動処理１を実行し（ステップＳ４１０）、心拍数が減少したと判定された場合には、例えば振動部１４０を弱く振動させる振動処理２を実行する（ステップＳ４１１）。
【００６４】
これにより、生体情報通知装置１００に密着するユーザＵＳの身体に、心拍数が大きく増加した場合には強く振動し、また、心拍数が大きく減少した場合には弱く振動し、心拍数が所定の範囲内で小さく変化した場合には短く振動し、心拍が検出されなかった場合には振動しない、という心拍に対応した各種の振動パターンの振動により心拍情報が伝達される。
【００６５】
次いで、制御部１５０は、上記一連の処理を終了する指示があるか否かを判定し（ステップＳ４１４）、処理終了の指示がない場合には、最新の心拍記憶時間を、前回の心拍記憶時間に設定してメモリ１６０に保存し（ステップＳ４１５）、さらに、最新の単位時間当たりの心拍数を、前回の単位時間当たりの心拍数に設定してメモリ１６０に保存する（ステップＳ４１６）。そして、最新心拍数リセット動作（ステップＳ４０３）に戻って、一連の処理を繰り返し実行する。
【００６６】
このように、本実施形態においては、検出されたユーザＵＳの心拍データに基づいて、単位時間当たりの心拍数が順次算出され、最新とその直前との心拍数を比較することにより判定される心拍数の増減や変化の有無に応じて、心拍に対応する振動の強弱や長さ設定されて振動することにより、ユーザＵＳに心拍情報が通知される。これにより、ユーザＵＳは振動パターンの変化を感知することにより、リアルタイムで心拍数やその変化を正確に把握することができる。また、本実施形態においても、常時心拍に対応した一定の振動を感知する必要がない場合や、常時心拍に対応した一定の振動を感知するのが煩わしかったり、不快に感じたりする場合等にも対応することができる。
【００６７】
＜生体情報通知装置の他の構成例＞
次に、本発明に係る生体情報通知装置の他の構成例について説明する。
上述した各実施形態に示した生体情報通知装置は、ユーザＵＳの胸部に装着するチェストセンサ型の外観形状を有し、心拍センサ１１０、各種センサ１２０、振動部１４０、制御部１５０、メモリ１６０等が内蔵された構成について説明したが、本発明はこれに限定されるものではない。例えば、後述する構成例１に示すように、生体情報通知装置は、ユーザＵＳの手首等に装着する腕時計型やリストバンド型の外観形状を有するものであってもよいし、また、後述する構成例２に示すように、チェストセンサ型のセンサ機器と、腕時計型のインターフェース機器と、を有するものであってもよい。
【００６８】
（構成例１）
図１１は、本発明に係る生体情報通知装置の他の構成例（構成例１）を示す概略構成図であり、図１２は、本構成例に係る生体情報通知装置を示す機能ブロック図である。ここで、上述した第１の実施形態と同等の構成については、同一の符号を付して説明を簡略化する。
【００６９】
構成例１に係る生体情報通知装置は、例えば図１１（ａ）に示すように、ユーザＵＳの手首に装着される。生体情報通知装置２００は、例えば図１１（ｂ）に示すように、腕時計型やリストバンド型の外観形状を有し、大別して、ユーザＵＳの心拍数を含む各種の生体情報を検出する機能を備えた機器本体２０１と、ユーザＵＳの手首に巻き付けることにより機器本体２０１を手首に装着するためのベルト部２０２と、を備えている。
【００７０】
機器本体２０１は、具体的には、例えば図１２に示すように、心拍センサ２１０と、各種センサ２２０と、操作スイッチ２３０と、振動部２４０と、制御部２５０と、メモリ２６０と、通信モジュール２７０と、電源供給部２８０と、表示部２９０と、を備えている。ここで、表示部２９０を除く、心拍センサ２１０、各種センサ２２０、操作スイッチ２３０、振動部２４０、制御部２５０、メモリ２６０、通信モジュール２７０、電源供給部２８０の各構成は、それぞれ、上述した第１の実施形態に示した心拍センサ１１０、各種センサ１２０、操作スイッチ１３０、振動部１４０、制御部１５０、メモリ１６０、通信モジュール１７０、電源供給部１８０と略同等の構成を有している。
【００７１】
表示部２９０は、液晶方式や有機ＥＬ方式等の表示パネルを有し、少なくともユーザの安静時及び運動時における各種の生体情報や運動情報を数値や文字、画像等により表示する。表示部２９０には、例えば図１１（ｂ）に示すように、現在時間、心拍数、運動時間（例えば走行時間）等の数値情報や文字情報が表示される。
【００７２】
なお、本構成例において、操作スイッチ２３０は、図１１（ｂ）に示すように、機器本体２０１に設けられたボタンスイッチであってもよいし、上記表示部２９０の前面に設けられたタッチパネルを有するものであってもよいし、これら双方を備えているものであってもよい。
【００７３】
このような構成を有する生体情報通知装置２００においても、上述した各実施形態に示した生体情報通知方法のいずれかを適用することにより、心拍センサ２１０により検出された心拍に対応して、振動部２４０から所定の振動パターンで振動を発生させて、ユーザＵＳの身体に伝達して心拍情報を通知することができる。したがって、ユーザＵＳは触覚により振動を感知することにより、自己の心拍数やその変化をリアルタイムで直感的に把握することができる。
【００７４】
特に本構成例においては、生体情報通知装置２００に表示部２９０が設けられているので、振動によって伝達された心拍情報について、表示部２９０に表示された数値情報等を視認することにより、触覚に加え、視覚を通じても心拍数やその変化を把握することができる。ここで、上述した生体情報通知方法において適用した閾値範囲判定動作（ステップＳ２０３）や、心拍数変化判定動作（ステップＳ４０８）、心拍数増減判定動作（ステップＳ４０９）等における判定結果に応じて、上記の数値情報を強調表示や点滅表示したり、表示部の背景部分を特定色で発光させたりする視覚効果を、さらに併用するものであってもよい。これにより、例えばユーザＵＳが運動中に、生体情報通知装置２００から伝達される振動を明確に感知できなかったときであっても、表示部２９０を補完手段として利用することにより、心拍情報を確実に通知することができる。
【００７５】
（構成例２）
図１３は、本発明に係る生体情報通知装置の他の構成例（構成例２）を示す概略構成図であり、図１４は、本構成例に係る生体情報通知装置を示す機能ブロック図である。ここで、上述した第１の実施形態及び構成例１と同等の構成については、同一の符号を付して説明を簡略化する。
【００７６】
構成例２に係る生体情報通知装置は、例えば図１３（ａ）に示すように、ユーザＵＳが胸部に装着するセンサ機器１００Ａと、手首に装着するインターフェース機器２００Ａと、を有している。ここで、センサ機器１００Ａは、上述した第１の実施形態と同様に、例えば図１３（ｂ）に示すように、チェストセンサ型の外観形状を有し、また、インターフェース機器２００Ａは、上述した構成例１と同様に、例えば図１３（ｃ）に示すように、腕時計型の外観形状を有している。
【００７７】
センサ機器１００Ａは、例えば図１４（ａ）に示すように、上述した第１の実施形態と略同等の構成を有する心拍センサ１１０、各種センサ１２０、操作スイッチ１３０、制御部１５０、メモリ１６０、通信モジュール１７０及び電源供給部１８０を備えている。
【００７８】
インターフェース機器２００Ａは、例えば図１４（ｂ）に示すように、上述した構成例１と略同等の構成を有する操作スイッチ２３０と、振動部２４０と、制御部２５０と、メモリ２６０と、通信モジュール２７０と、電源供給部２８０と、表示部２９０と、を備えている。なお、インターフェース機器２００Ａは、センサ機器１００Ａに設けられた心拍センサ１１０を除く、各種センサ１２０の一部または全部を備えているものであってもよい。
【００７９】
ここで、センサ機器１００Ａの通信モジュール１７０及びインターフェース機器２００Ａの通信モジュール２７０は、例えば無線通信により、センサ機器１００Ａとインターフェース機器２００Ａとの間で種々のデータの伝送を行う。なお、センサ機器１００Ａとインターフェース機器２００Ａとの間のデータの伝送方法については、無線通信による方式として、例えばデジタル機器用の近距離無線通信規格であるブルートゥース（Bluetooth（登録商標））や、この通信規格において低消費電力型の規格として策定されたブルートゥースローエナジー（Bluetooth（登録商標） low energy）等を良好に適用することができる。また、本実施形態に適用可能な他の伝送方法としては、例えば通信ケーブルを介した有線による通信方式を適用することもできる。
【００８０】
このような構成を有する生体情報通知装置２００においても、上述した各実施形態に示した生体情報通知方法のいずれかを適用することにより、胸部に装着されたセンサ機器１００Ａに設けられた心拍センサ１１０により検出された心拍に対応して、手首に装着されたインターフェース機器２００Ａに設けられた振動部２４０から所定の振動パターンで振動を発生させて、ユーザＵＳの身体に伝達して心拍情報を通知することができる。
【００８１】
ここで、上述した各実施形態に示した生体情報通知方法において、一連の処理のどの処理動作を、センサ機器１００Ａ又はインターフェース機器２００Ａで実行するかについては、任意に設定することができる。すなわち、センサ機器１００Ａにおいて、制御部１５０が、センシング動作から心拍の検出動作、さらには、振動パターンの判定（決定）動作までを実行し、当該検出結果や判定結果をインターフェース機器２００Ａに伝送して、インターフェース機器２００Ａにおいて、制御部２５０が、振動制御信号を生成して振動部２４０を所定の振動パターンで振動させるものであってもよい。また別の形態として、センサ機器１００Ａにおいて、制御部１５０が、センシング動作から心拍の検出動作までを実行し、当該検出結果をインターフェース機器２００Ａに伝送して、インターフェース機器２００Ａにおいて、制御部２５０が、振動パターンの判定（決定）動作を行い、その判定結果に基づいて、振動制御信号を生成して振動部２４０を所定の振動パターンで振動させるものであってもよい。
【００８２】
特に本構成例においては、生体情報通知装置が、心拍センサ１１０を備えるセンサ機器１００Ａと、振動部２４０及び表示部２９０を備えるインターフェース機器２００Ａと、の別体の機器として構成されている。これにより、センサ機器１００ＡをユーザＵＳの心拍を適切に検出（センシング）することができる任意の部位に装着することができるとともに、インターフェース機器２００ＡをユーザＵＳが振動を感知しやすく、また、運動中であっても視認しやすい任意の部位に装着することができる。したがって、心拍センサ１１０により検出される心拍データの精度を高めることができるとともに、ユーザＵＳに対して、より正確な心拍情報を確実に通知することができる。
【００８３】
また、生体情報通知方法の一連の処理を、センサ機器１００Ａとインターフェース機器２００Ａとにより分担して実行することができるので、センサ機器１００Ａ及びインターフェース機器２００Ａにおける処理負担を軽減することができるとともに、電源供給部１８０、２８０における電力の消耗を抑制することができる。
【００８４】
なお、上述した各実施形態及び構成例においては、生体情報通知装置として、ユーザＵＳの胸部に装着するチェストセンサ型の構成や、手首に装着する腕時計型又はリストバンド型の構成を示したが、本発明はこれに限定されるものではない。すなわち、生体情報通知装置は、少なくとも、心拍センサと振動部とを備えた単体または別体の電子機器であればよく、例えば既存の携帯電話機やスマートフォン、眼鏡型端末等を適用することができる。また、その装着位置もユーザの心拍を検出することができる部位であれば、例えば少なくとも心拍センサが胸部や手首、指先、手の平、耳たぶ等、人体の任意の部位に任意の形態で装着されているものであればよい。
【００８５】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００８６】
（付記）
［１］
人体に接触されて生体情報を検出する生体情報取得センサと、
前記人体に振動を伝達することにより前記生体情報を通知する振動部と、
前記振動部を前記人体の前記生体情報に対応して振動させる制御部と、
を備える、
ことを特徴とする生体情報通知装置。
【００８７】
［２］
前記制御部は前記生体情報に対応して前記振動部を所定の振動パターンで振動させることを特徴とする［１］に記載の生体情報通知装置。
［３］
前記生体情報が所定の閾値範囲内にある場合にのみ、前記制御部は前記生体情報に対応して前記振動部を所定の振動パターンで振動させることを特徴とする［１］に記載の生体情報通知装置。
［４］
前記生体情報の所定回数毎に、前記制御部は前記生体情報に対応して前記振動部を異なる振動パターンで振動させることを特徴とする［１］に記載の生体情報通知装置。
［５］
前記生体情報が所定の判定範囲以上に変化した場合に、前記制御部は前記生体情報に対応して前記振動部を異なる振動パターンで振動させることを特徴とする［１］に記載の生体情報通知装置。
【００８８】
［６］
人体に接触された生体情報取得センサにより生体情報を検出し、
振動部を前記人体の前記生体情報に対応して所定の振動パターンで振動させ、
前記人体に前記振動を伝達することにより前記生体情報を通知する、
ことを特徴とする生体情報通知方法。
【００８９】
［７］
前記生体情報が所定の閾値範囲内にある場合、又は、前記生体情報の変化が所定の判定範囲以上に変化した場合には、前記生体情報に対応して前記振動部を異なる振動パターンで振動させることを特徴とする［６］に記載の生体情報通知方法。
【００９０】
［８］
コンピュータに、
人体に接触された生体情報取得センサにより生体情報を検出させ、
振動部を前記人体の前記生体情報に対応して所定の振動パターンで振動させる、
ことを特徴とする生体情報通知プログラム。
【００９１】
［９］
前記生体情報が所定の閾値範囲内にある場合、又は、前記生体情報の変化が所定の判定範囲以上に変化した場合には、前記生体情報に対応して前記振動部を異なる振動パターンで振動させることを特徴とする［８］に記載の生体情報通知プログラム。
【符号の説明】
【００９２】
１００、２００    生体情報通知装置
１００Ａ    センサ機器
１０１、２０１    機器本体
１１０、２１０    心拍センサ
１１１    検出電極
１２０、２２０    各種センサ
１３０、２３０    操作スイッチ
１４０、２４０    振動部
１５０、２５０    制御部
１６０、２６０    メモリ
１７０、２７０    通信モジュール
２００Ａ    インターフェース機器
２９０    表示部
ＵＳ      ユーザ
【図１】
2014054479.tif 000003
【図２】
2014054479.tif 000004
【図３】
2014054479.tif 000005
【図４】
2014054479.tif 000006
【図５】
2014054479.tif 000007
【図６】
2014054479.tif 000008
【図７】
2014054479.tif 000009
【図８】
2014054479.tif 000010
【図９】
2014054479.tif 000011
【図１０】
2014054479.tif 000012
【図１１】
2014054479.tif 000013
【図１２】
2014054479.tif 000014
【図１３】
2014054479.tif 000015
【図１４】
2014054479.tif 000016